(57)【要約】【課題】  主唐箕とは別に第２唐箕を設置することによって揺動選別棚上での風選能力を高め、特に２番処理物の集中選別を可能とし、選別性能の向上を図る。【解決手段】  扱室（３）からの脱穀処理物を受け入れて後方に揺動移送しながら篩い選別する揺動選別棚（８）の下方前部側に第１唐箕（１４）を設け、揺動選別棚（８）の左右一側から該揺動選別棚（８）上へ２番処理物を還元する２番処理装置（１８）を装備し、揺動選別棚（８）の前方から該揺動選別棚（８）の上面に沿って送風する第２唐箕（２５）を設け、この第２唐箕（２５）は選別風が２番処理装置（１８）側に沿って通過するように偏倚させて配置する。【選択図】      図１
2012249536.tif 000002
【特許請求の範囲】
【請求項１】
扱室（３）からの脱穀処理物を受け入れて後方に揺動移送しながら篩い選別する揺動選別棚（８）の下方前部側に第１唐箕（１４）を設け、揺動選別棚（８）の左右一側から該揺動選別棚（８）上へ２番処理物を還元する２番処理装置（１８）を装備し、揺動選別棚（８）の前方から該揺動選別棚（８）の上面に沿って送風する第２唐箕（２５）を設け、該第２唐箕（２５）からの選別風が揺動選別棚（８）上における前記２番処理装置（１８）側に偏倚した部位を通過する構成としたことを特徴とする脱穀装置。
【請求項２】
前記揺動選別棚（８）の終端側上方に該揺動選別棚（８）と略同じ左右幅を有する吸塵ファン（１７）を設け、該吸塵ファン（１７）と前記第２唐箕（２５）を左右方向にオーバーラップさせて配置したことを特徴とする請求項１記載の脱穀装置。
【請求項３】
前記２番処理装置（１８）は、揺動選別棚（８）の下方から上方に向けて２番物を揚上搬送する２番揚穀コンベア（１９）と、該２番揚穀コンベア（１９）の終端部に設けられた上下方向の軸（２０）芯回りに回転する縦型の２番処理胴（２１）とから構成したことを特徴とする請求項１又は請求項２記載の脱穀装置。
【請求項４】
前記揺動選別棚（８）の終端側にあって２番回収部（１６）の上方に対応する部位に、揺動開閉可能な可動シーブ（１１）を備えたことを特徴とする請求項１又は請求項２又は請求項３記載の脱穀装置。
【請求項５】
前記揺動選別棚（８）の下方に配備された１番回収部（１５）と２番回収部（１６）との間には、前記可動シーブ（１１）側に向けて送風する第３唐箕（２６）を設け、揺動選別棚（８）上の処理物量に応じて前記第３唐箕（２６）から可動シーブ（１１）側への送風方向を変更する風向変更手段（２７）を設けたことを特徴とする請求項１〜４のいずれか１項に記載の脱穀装置。
【発明の詳細な説明】
【技術分野】
【０００１】
この発明は、刈取穀稈を脱穀して選別処理する脱穀装置に関するものである。
【背景技術】
【０００２】
特許文献１には、唐箕ファンからチャフシーブに供給する選別風の風路構造が開示されている。つまり、グレンシーブと１番コンベアとに唐箕ファンからの選別風を供給する主選別風路と、チャフシーブの上面に沿って同唐箕ファンからの選別風を供給する第１プレ風路と、チャフシーブの下面に沿って同唐箕ファンからの選別風を供給する第２プレ風路が形成されている。
【先行技術文献】
【特許文献】
【０００３】
【特許文献１】特開２０１１−２４４６０号公報
【発明の概要】
【発明が解決しようとする課題】
【０００４】
上記従来例のものでは、チャフシーブの上面に沿って送風する第２プレ風路は、同一唐箕ファンからの小分けであるため、充分な風選精度が得られず、特に、２番処理物を揺動選別棚の終端側に還元するものにあっては、これら多量の処理物の選別には処理能力に問題がある。
【０００５】
本発明の課題は、主唐箕とは別に第２唐箕を設置することによって揺動選別棚上での風選能力を高め、特に２番処理物の集中選別を可能とし、選別性能の向上を図ることを目的とする。
【課題を解決するための手段】
【０００６】
この発明は、上記課題を解決すべく次のような技術的手段を講じた。
すなわち、請求項１記載の発明は、扱室（３）からの脱穀処理物を受け入れて後方に揺動移送しながら篩い選別する揺動選別棚（８）の下方前部側に第１唐箕（１４）を設け、揺動選別棚（８）の左右一側から該揺動選別棚（８）上へ２番処理物を還元する２番処理装置（１８）を装備し、揺動選別棚（８）の前方から該揺動選別棚（８）の上面に沿って送風する第２唐箕（２５）を設け、該第２唐箕（２５）からの選別風が揺動選別棚（８）上における前記２番処理装置（１８）側に偏倚した部位を通過する構成としたことを特徴とする脱穀装置とする。
【０００７】
扱室（３）からの脱穀処理物は、揺動選別棚（８）上に受けられて後方に揺動移送されながら篩い選別される。
扱室（３）内で発生する２番処理物は、２番処理装置（１８）に送られて再処理されるとともに揺動選別棚（８）上に排出落下されるが、この時、揺動選別棚（８）の上面に沿って通過する第２唐箕（２５）からの選別風によって風選される。
【０００８】
従って、２番処理装置（１８）から落下する処理物が予め風選別された状態で揺動選別棚（８）に落下するので、揺動選別棚（８）による選別負荷が低減し、揺動選別性能が向上する。
【０００９】
請求項２記載の発明は、前記揺動選別棚（８）の終端側上方に該揺動選別棚（８）と略同じ左右幅を有する吸塵ファン（１７）を設け、該吸塵ファン（１７）と前記第２唐箕（２５）を左右方向にオーバーラップさせて配置したことを特徴とする請求項１記載の脱穀装置とする。
【００１０】
上記構成によると、揺動選別棚（８）上では棚幅全域にわたり第２唐箕（２５）と吸塵ファン（１７）のいずれか一方の選別風が作用することになり、選別能力がアップし、選別性能を高めることができる。
【００１１】
請求項３記載の発明は、前記２番処理装置（１８）は、揺動選別棚（８）の下方から上方に向けて２番物を揚上搬送する２番揚穀コンベア（１９）と、該２番揚穀コンベア（１９）の終端部に設けられた上下方向の軸（２０）芯回りに回転する縦型の２番処理胴（２１）とから構成したことを特徴とする請求項１又は請求項２記載の脱穀装置とする。
【００１２】
上記構成によると、２番処理胴（２１）は、上下方向の縦軸芯回りに回転する構成であるため、排出落下される処理物は揺動選別棚（８）上に広く拡散されることになり、風選並びに篩い選別効果が高められる。
【００１３】
請求項４記載の発明は、前記揺動選別棚（８）の終端側にあって２番回収部（１６）の上方に対応する部位に、揺動開閉可能な可動シーブ（１１）を備えたことを特徴とする請求項１又は請求項２又は請求項３記載の脱穀装置とする。
【００１４】
上記構成によると、処理物量が多くなると可動シーブ（１１）の開度を大きくし、処理物量が少なくなると可動シーブ（１１）の開度が小さくなるように制御することができ、２番処理物の還元量の多少に応じて可動シーブ（１１）の開度を自動調整しながら篩い選別することができて、選別性能をより高めることができる。
【００１５】
請求項５記載の発明は、前記揺動選別棚（８）の下方に配備された１番回収部（１５）と２番回収部（１６）との間には、前記可動シーブ（１１）側に向けて送風する第３唐箕（２６）を設け、揺動選別棚（８）上の処理物量に応じて前記第３唐箕（２６）から可動シーブ（１１）側への送風方向を変更する風向変更手段（２７）を設けたことを特徴とする請求項１〜４のいずれか１項に記載の脱穀装置とする。
【００１６】
上記構成によると、処理物量が少なくなると、第３唐箕（２６）からの選別風を風向板（２７）により可動シーブ（１１）の始端側に向けて送風するように風向きを変更し、処理物量が多くなると、第３唐箕（２６）からの選別風を可動シーブ（１１）の終端側に向けて送風するように風向きを変更することで、特に処理物量が多い時には、藁屑を速やかに機外に排出することができるので、揺動選別の負担を軽くでき、処理物量の多少に応じた風選別が効果的に行える。
【発明の効果】
【００１７】
請求項１記載の発明によれば、２番処理装置（１８）からの２番処理物は、揺動選別棚（８）上に落下するまでにここを通過する強力な選別風によって選別されるため、揺動選別棚（８）による選別負荷が低減し、篩い選別を効果的に行うことができ、揺動選別性能を高めることができる。
【００１８】
請求項２記載の発明によれば、請求項１記載の発明の効果を奏するものでありながら、第２唐箕（２５）と吸塵ファン（１７）とが左右にオーバーラップしているので、揺動選別棚（８）上では棚幅全域にわたり第２唐箕（２５）と吸塵ファン（１７）のいずれか一方の選別風が作用することになり、選別能力がアップし、選別性能をより高めることができる。
【００１９】
請求項３記載の発明によれば、請求項１又は請求項２記載の効果を奏するものでありながら、２番処理胴（２１）は、上下方向の縦軸芯回りに回転する構成であるため、排出落下される処理物は揺動選別棚（８）上に広く拡散されることになり、風選並びに篩い選別効果をより高めることができる。
【００２０】
請求項４記載の発明によれば、請求項１又は請求項２又は請求項３記載の効果に加えて、揺動選別棚（８）の終端側を揺動開閉可能な可動シーブ（１１）で構成しているため、２番処理物の還元量の多少に応じて可動シーブ（１１）の開度を自動調整しながら篩い選別することができて、選別性能をより高めることができる。
【００２１】
請求項５記載の発明によれば、請求項１〜４のいずれか１項に記載の効果に加えて、処理物量の多少に応じて第３唐箕（２６）からの選別風の風向きを変更することで、特に処理物量が多い時には、藁屑を速やかに機外に排出処理することができ、揺動選別の負担を軽くでき、処理物量の多少に応じた風選別を効果的に行うことができる。
【図面の簡単な説明】
【００２２】
【図１】脱穀装置の要部の側断面図
【図２】同上要部の平面図
【図３】選別制御ブロック図
【図４】脱穀装置の要部の側断面図
【図５】同上要部の平面図
【図６】脱穀装置の要部の側断面図
【図７】同上要部の平面図
【図８】同上要部の一部破断せる背面図
【図９】排塵処理胴装置の切断背面図
【図１０】同上要部の左側面図
【図１１】同上要部の右側面図
【図１２】脱穀装置の要部の側断面図
【発明を実施するための形態】
【００２３】
この発明の実施例を図面に基づき説明する。
図１は脱穀装置の要部の側断面図、図２は脱穀装置の要部の平面図を示すものであり、次のような構成になっている。
【００２４】
すなわち、脱穀装置１は、脱穀フィードチェン２により株元を挟持しながら搬送される穀稈の穂先部を扱室３内で駆動回転する扱胴４により脱穀処理するよう構成している。扱室３の下半周部には受網５が張設され、扱胴４の上部には開閉自在な扱胴カバー６が設けられ、扱室３の終端には藁屑や穂切れなどの排塵処理物を排出する排塵口７が設けられている。
【００２５】
扱室下方の揺動選別装置（揺動選別棚）８は、脱穀処理後の処理物を受け入れて揺動移送しながらふるい選別する構成であり、選別方向上手側から移送棚（グレンパン）９、チャフシ−ブ１０、従来のストロ−ラックに代わる揺動開閉可能な可動シーブ１１の順に配置し、且つ、前記チャフシ−ブ１０の下方にグレンシ−ブ１２等を配置して設けた構成としている。
【００２６】
また、揺動選別棚８の下方には選別方向の上手側から順に、第１唐箕１４、１番回収部（１番回収ラセン）１５、２番回収部（２番回収ラセン）１６、その上方に前記揺動選別棚８と略同じ左右幅をもつ吸塵フアン（横断流ファン）１７を設けて排塵選別室を構成している。
【００２７】
揺動選別棚８の一側には、２番回収部１６からの２番物を揚上搬送して再処理した後、揺動選別棚上に還元する２番処理装置１８を装備している。この２番処理装置１８は、揺動選別棚８下方の２番回収部１６からの２番物を上方に向けて揚上搬送する２番揚穀コンベア１９と、２番揚穀コンベアの終端部に設けられた上下方向の軸２０回りに回転する縦型の２番処理胴２１とからなる構成である。２番処理胴２１は網体で構成された処理室２２内に軸架されてあり、ここで処理された処理物は処理胴２１の下端側から排出羽根２３によって下方の揺動選別棚８上へ広く拡散放出されるようになっている。
【００２８】
揺動選別棚８の前方上部には、該揺動選別棚８の上面に沿って送風する第２唐箕２５を設けてあり、この第２唐箕２５は選別風が前記２番処理装置１８側に沿って通過するように偏倚させた構成としている。
【００２９】
そして、前記第２唐箕２５と吸塵ファン１７とは、前後方向視での左右方向において、所定幅（Ｗ）の範囲オーバーラップさせた構成としている。
前記可動シーブ１１は、横軸芯回りで揺動開閉自在な複数のシーブ板１１ａを並列配備してなり、各シーブ板１１ａはワイヤを介して駆動モータＭ１により一斉に揺動作動して、処理物の漏下開度を変更調節できるように構成している。
【００３０】
また、１番回収部１５と２番回収部１６との間には、揺動選別棚８終端部の可動シーブ１１側に向けて送風する第３唐箕２６が設置されている。第３唐箕２６からの選別風の経路中には、選別風を可動シーブ１１の始端側（イ）方向に送風したり、終端側（ロ）方向に送風することができるように前後に揺動自在な風向板２７を設けてある。風向板２７はワイヤを介して風向変更モータＭ２により揺動作動して風の向きを任意変更できるように構成している。つまり、処理物の量が少なくなるに伴って、風向板２７を立ち上がらせて選別風の送風方向を可動シーブ１１の始端側（イ）方向に変更し、処理物の量が多くなるに伴って、風向板２７を後方側に寝かせて選別風の送風方向を可動シーブ１１の終端側（ロ）方向に変更する構成になっている。
【００３１】
制御装置２８は、可動シーブの開度を調節する駆動モータＭ１と、可動シーブへの送風方向を変更調節する風向板２７の変更モータＭ２を処理量検出センサＳの検出結果に基づいて制御するように構成している。
【００３２】
図４及び図５に示す２番処理装置は、扱胴４の右側に２番処理胴２１を平行に並設した構成であり、２番処理物は揺動選別棚８の始端側に還元されるようになっている。２番処理胴２１の後方には、これと同一軸芯上において扱室３終端からの排塵処理物を受け入れて処理する排塵処理胴３０が軸架されている。
【００３３】
そして、前方の第２唐箕２５と後方の吸塵ファン１７の両者により、２番処理胴２１、排塵処理胴３０から揺動選別棚８上に落下する処理物を風選別するように構成している。
次に、図６〜図１１に示す別実施例について説明する。
【００３４】
図例の排塵処理胴３０は、外周に処理歯３２を植設したラセン体３３によって構成している。排塵処理室３１を構成するケーシング部３４に送塵作用を抑制する仕切体３５を設け、仕切体３５の送塵下手側には切刃３６を設置している。ラセン扱歯による場合は送塵効率が良く、ソリッドツースに対してコスト安であるが、反面、処理物のこなし効果は低い。本例によると、上記仕切体により送塵作用にある程度抵抗を加え、下手側の切刃に導くことで、処理物がこなれ、藁屑や枝梗カギ又の細分化が可能となる。また、ケーシング部３４の左側面側は受け網を目抜き鉄板３７で構成することで、揺動棚上手側では粗大な処理物が棚に落下せず処理室内での処理が良好となり、後部側では目合を大とすることで回収効率を高めるようにしている。また、目抜き鉄板とすることで、目合の自由度が増し湿材の目詰まりも少ない。
【００３５】
排塵処理胴３０終端の対向側一側には片側吸引式排塵ファン３８を設けてあり、揺動選別棚８の終端部の濾過部は、横方向のシーブ板１１ａによって構成している。又、前記仕切体３５は、排塵処理室３１への連通口３９、ささり粒回収室４０より後方位置に設定している。また、切刃は３６はケーシング部３４の角部に設置し、ケーシング内部に突出させた構成としている。
【００３６】
図１２に示す実施例について説明すると、吸塵用横断流ファン（吸塵ファン）１７の吸入口４２の開口面積を変化できるようにガイド板４３のスライドによって吸入量調整可能に構成している。１番回収部１５と２番回収部１６間に設置された唐箕２６からの選別風の送風方向を風向板２７によって上方の横断流ファン１７の吸入口４２側と後方のストローラック４４側とに変更できるように構成している。そして、その送風方向をファン１７側に変更すると、ガイド板４３が吸入口４２「開」方向に作動し、送風方向をストローラック４４がわに変更すると、ガイド板が吸入口「閉」方向に作動するようになっている。
【００３７】
風向板２７によって送風方向をファン１７側に変更したときは、ファン１７の前側に配設した直交処理胴４５の藁屑排出側を選別風が通過し、横断流ファン内に吸い込まれるようになっている。なお、上記直交処理胴４５は、扱室からの排塵処理物を処理する排塵ラック板４６の上部に位置して左右横方向の軸芯周りに回転駆動可能に軸架され、藁屑を分離処理するようになっている。
【００３８】
揺動選別棚８上に設けられた処理量検出センサＳの処理量検出値に応じて選別風向（風向板２７）と吸引ガイド（ガイド板４３）を自動調整できるように構成する。
要するに、上記構成によると、選別風を縦方向（横断流ファン側）の向きに変更調整することで、直交処理胴から排出される藁屑を直接、横断流ファンに吸わせ機外に排出することができるので、揺動棚上に多量の藁屑が落下せず、選別性能を高めることができる。
【符号の説明】
【００３９】
３    扱室
８    揺動選別棚
１１    可動シーブ
１４    第１唐箕
１５    １番回収部
１６    ２番回収部
１７    吸塵ファン
１８    ２番処理装置
１９    ２番揚穀コンベア
２０    処理胴軸
２１    ２番処理胴
２５    第２唐箕
２６    第３唐箕
２７    風向板
【図１】
2012249536.tif 000003
【図２】
2012249536.tif 000004
【図３】
2012249536.tif 000005
【図４】
2012249536.tif 000006
【図５】
2012249536.tif 000007
【図６】
2012249536.tif 000008
【図７】
2012249536.tif 000009
【図８】
2012249536.tif 000010
【図９】
2012249536.tif 000011
【図１０】
2012249536.tif 000012
【図１１】
2012249536.tif 000013
【図１２】
2012249536.tif 000014